(57)【要約】【課題】  外形サイズ縮小によるメリットが損なうことなく、取付仕様が異なる複数の液晶表示パネルを共通の取付カバーで固定できるようにする。【解決手段】  取付カバー４は、第１及び第２のＬＣＤ２，３に形成された第１及び第２のねじ孔１０，１２に適合した第１及び第２の挿通孔１８，１９を備え、共通の取付カバー４で取付仕様が異なる第１及び第２のＬＣＤ２，３を固定できる。薄型に形成した第１のＬＣＤ２は、スピーカー部９が配置された寸法的な余裕がある左右両側に第１のねじ孔１０を有する折曲片１１を形成する。第２のＬＣＤ３は、長手方向に直接、第２のねじ孔１０を形成して第２のＬＣＤ３の上下方向に無駄な固定用スペースを形成しないようにする。これにより、外形サイズ縮小によるメリットが損なうことなく、第１及び第２のＬＣＤ２，３を固定できるようになる。【選択図】      図１
2005208384.tif 000002
【特許請求の範囲】
【請求項１】
相違した取付仕様から成る複数の液晶表示パネルから何れかの液晶表示パネルを選択して装置を構成する液晶表示装置であり、該複数の液晶表示パネルに共通した取付カバーによって該液晶表示装置のフロントキャビネットの取付ボス部に取り付ける液晶表示装置であって、
一つの液晶表示パネルの取付仕様が、液晶表示パネル背面に形成された側方に突出する折曲片による取り付けであり、他の液晶表示パネルの取付仕様が、液晶表示パネル側面に形成されたねじ孔による取り付けである際に、
前記取付カバーには、前記折曲片に対応する位置に取付片を形成し、かつ前記ねじ孔に対応する位置に挿通孔を形成し、
前記取付ボス部の高さをｈ（ｍｍ）、前記一つの液晶表示面から前記折曲片までの寸法をａ（ｍｍ）、前記他の液晶表示面から前記ねじ孔までの寸法をｂ（ｍｍ）、前記取付カバーの前記取付片から該取付カバーの前記挿通孔までの寸法をｃ（ｍｍ）とした場合に
ｈ＝ａ
ｈ＝ｂ＋ｃ
の関係を満たすように構成されたことを特徴とする液晶表示装置。
【請求項２】
前記複数の液晶表示パネルは、第１の液晶表示パネルと、この第１の液晶表示パネルと外形形状がほぼ同形で該第１の液晶表示パネルより厚い第２の液晶表示パネルから成り、前記第１の液晶表示パネルの一方の対向辺に、前記折曲片を形成し、この折曲片に第１のねじ孔を形成するとともに、前記第２の液晶表示パネルは、前記折曲片と直交する他方の対向辺に位置して第２の液晶表示パネルの側面に第２のねじ孔を形成し、前記取付カバーの取付片に前記第１のねじ孔に対応する第１の挿通孔を形成するとともに、該取付カバーの側面に前記第２のねじ孔に対応する第２の挿通孔を形成し、この第１及び第２の挿通孔から第１及び第２のねじ孔に固定ねじを螺着するように構成したことを特徴とする請求項１記載の液晶表示装置。
【請求項３】
前記第１及び第２の液晶表示パネルは共に横長長方形型に形成され、第１の液晶表示パネルは、その短手方向に前記第１のねじ孔を有する折曲片を形成するとともに、第２の液晶表示パネルは、その長手方向に前記第２のねじ孔を形成したことを特徴とする請求項２記載の液晶表示装置。
【請求項４】
前記取付片が前記取付ボス部と前記第１の液晶表示パネルに形成する折曲片とに渡って形成されていることを特徴とする請求項２又は３記載の液晶表示装置。
【発明の詳細な説明】
【技術分野】
【０００１】
本発明は、取付仕様が相違する複数の液晶表示パネルを共通の取付カバーによってキャビネットに固定するようにした液晶表示装置に関する。
【背景技術】
【０００２】
近年、ノート型やデスクトップ型パソコンあるいはテレビジョン装置の表示画面として液晶表示パネル（以下、ＬＣＤと称す）が採用されている。ところで、この種の液晶表示装置は、一つのキャビネットに対して複数の製造メーカーによって製造された多種類のＬＣＤが実装されることが多い。このような多種類のＬＣＤを一種類のキャビネットに取付ける方法として、例えば、特許文献１には、ＬＣＤのねじ孔とキャビネットに形成する取付部に対応する複数種の取付金具を用意し、その取付金具を選択的に使い分けることによって複数のＬＣＤを共通のキャビネットに固定するように構成した液晶表示パネルの取付装置が開示されている。また、特許文献２では、標準液晶表示パネルとこれより小さい縮小液晶表示パネルとを共通のキャビネットに取り付けるにあたり、縮小液晶表示パネルに回動可能なラグを装着し、このラグを適宜回転させることによって標準液晶表示パネルを固定するボスに縮小液晶表示パネルに装着したラグをねじ止めするように構成した液晶表示パネルの取付装置が開示されている。
【０００３】
【特許文献１】特開２００１−８３４８６号公報
【特許文献２】特開２００２−２８７１１８号公報
【発明の開示】
【発明が解決しようとする課題】
【０００４】
しかし、特許文献１のように、ＬＣＤのねじ孔とキャビネットに形成する取付部に対応する複数種の取付金具によって取付仕様が相違する複数のＬＣＤを共通のキャビネットに固定する構成では、異なるＬＣＤに対して専用の取付金具が必要であり、生産コストの上昇を招くばかりでなく、部品点数の増加に伴う煩わしい部品管理が必要となる。他方、特許文献２は、縮小液晶表示パネルに回動可能に装着したラグを標準液晶表示パネルを固定するボスにあせて回転させることによって、標準液晶表示パネルと縮小液晶表示パネルを共通したキャビネットに固定することが可能であり、ラグを付加すれば大小２種類の液晶表示パネルを固定することが可能であり、特許文献１に比較して部品点数を抑えることができるが、結局、縮小液晶表示パネルを固定するためには、ＬＣＤの最低各コーナー部を固定する４個のラグが必要となり、やはり部品点数の増加を招くとともに、取付時にねじを緩めて縮小液晶表示パネルに対してラグが回動可能に取り付けられていることから、キャビネットに対する縮小液晶表示パネルの位置が可変し、キャビネットに対する縮小液晶表示パネルの位置決め作業が面倒である。
【０００５】
また、近年、コンパクトな液晶表示装置が望まれてきており、このような市場の要求により、ＬＣＤの外形縮小化が進んでいる。その一つとして、例えばＬＣＤの側面に直接、固定用のねじ孔を形成し、そのねじ孔にねじを螺着することにより、その側部から固定用の突出片などを張り出させない、いわゆるサイドマウント方式が多く普及してきている一方で、ＬＣＤは、より薄型化が要求されてきている。このため、極めて薄いＬＣＤでは、強度的あるいは寸法的な面からむしろＬＣＤの側面に直接、ねじ孔を設けないほうが都合がよい場合もある。このような薄型のＬＣＤにおいては、ＬＣＤの側部にねじ孔を有する折曲片をスペース的に余裕のある方向に突出させている。例えば、パソコンやテレビジョン受像機などの液晶表示装置においては、表示画面が横長長方形状であるとともに、その表示画面となるＬＣＤの左右両側にスピーカー部が配置されているから、ＬＣＤの左右両側、すなわち、横長長方形状のＬＣＤにおいて、ＬＣＤの短手方向に折曲片を突設する場合が多い。このように近年の液晶表示装置においては、ＬＣＤの厚さによって、ＬＣＤの側面に直接、ねじ孔を形成するタイプと、ＬＣＤの短手方向に折曲片を突設する二つのタイプに大別されているが、前述した特許文献１及び特許文献２で開示されている液晶表示パネルの取付装置では、こうした二種類の液晶表示パネルを共通のキャビネットには固定することはできない。
【０００６】
本発明は、上記課題に鑑みてなされたもので、部品点数を増やすことなく取付仕様が異なる複数の液晶表示パネルをキャビネットに固定することができるとともに、外形サイズ縮小によるメリットが損なうことなく液晶表示パネルを簡単かつ容易に固定することができる液晶表示装置を提供することを目的とする。
【課題を解決するための手段】
【０００７】
本発明の請求項１の液晶表示装置は、相違した取付仕様から成る複数の液晶表示パネルから何れかの液晶表示パネルを選択して装置を構成する液晶表示装置であり、該複数の液晶表示パネルに共通した取付カバーによって該液晶表示装置のフロントキャビネットの取付ボス部に取り付ける液晶表示装置であって、一つの液晶表示パネルの取付仕様が、液晶表示パネル背面に形成された側方に突出する折曲片による取り付けであり、他の液晶表示パネルの取付仕様が、液晶表示パネル側面に形成されたねじ孔による取り付けである際に、前記取付カバーには、前記折曲片に対応する位置に取付片を形成し、かつ前記ねじ孔に対応する位置に挿通孔を形成し、前記取付ボス部の高さをｈ（ｍｍ）、前記一つの液晶表示面から前記折曲片までの寸法をａ（ｍｍ）、前記他の液晶表示面から前記ねじ孔までの寸法をｂ（ｍｍ）、前記取付カバーの前記取付片から該取付カバーの前記挿通孔までの寸法をｃ（ｍｍ）とした場合にｈ＝ａ、ｈ＝ｂ＋ｃの関係を満たすように構成されたことを特徴とする。
【０００８】
請求項１の構成により、取付カバーで一つの液晶表示パネルを固定する際、取付カバーを取付ボス部に固定することによって、一つの液晶表示パネルがフロントキャビネットに固定される。この際、取付ボス部の高さｈ（ｍｍ）と前記一つの液晶表示パネルの液晶表示面から折曲片までの寸法ａ（ｍｍ）とが同一であるので、一つの液晶表示パネルはフロントキャビネットにきちんと収まるように固定される。一方、取付カバーで他の液晶表示パネルを固定する際、取付カバーを取付ボス部に固定し、取付カバーの挿通孔から挿通したねじを他の液晶表示パネルのねじ孔に螺着することによって他の液晶表パネルがフロントキャビネットに固定される。この際、他の液晶表示パネルは、その液晶表示面からねじ孔までの寸法をｂ（ｍｍ）、取付カバーの取付片から該取付カバーの挿通孔までの寸法をｃ（ｍｍ）とした場合にｈ＝ａ、ｈ＝ｂ＋ｃの関係で形成されているので、他の液晶表示パネルはフロントキャビネット内きちんと収まるように固定される。
【０００９】
本発明の請求項２の液晶表示装置は、請求項１記載の液晶表示装置において、前記複数の液晶表示パネルは、第１の液晶表示パネルと、この第１の液晶表示パネルと外形形状がほぼ同形で該第１の液晶表示パネルより厚い第２の液晶表示パネルから成り、前記第１の液晶表示パネルの一方の対向辺に、前記折曲片を形成し、この折曲片に第１のねじ孔を形成するとともに、前記第２の液晶表示パネルは、前記折曲片と直交する他方の対向辺に位置して第２の液晶表示パネルの側面に第２のねじ孔を形成し、前記取付カバーの取付片に前記第１のねじ孔に対応する第１の挿通孔を形成するとともに、該取付カバーの側面に前記第２のねじ孔に対応する第２の挿通孔を形成し、この第１及び第２の挿通孔から第１及び第２のねじ孔に固定ねじを螺着するように構成したことを特徴とする。
【００１０】
請求項２の構成により、薄い第１の液晶表示パネルを固定する場合、薄い第１の液晶表示パネルに形成する第１のねじ孔と取付カバーに形成する第１の挿通孔の位置を合わせて、第１の挿通孔に通した固定ねじを第１のねじ孔に螺着することにより、第１の液晶表示パネルが取付カバーに固定される。この後、取付カバーをキャビネットに固定することにより、第１の液晶表示パネルがキャビネットに固定される。他方、厚い第２の液晶表示パネルをキャビネットに固定する場合、実質的に第１の液晶表示パネルと同様な手順によって行われるが、取付カバーへの第２の液晶表示パネルの固定位置が異なる。すなわち、第２の液晶表示パネルを固定する際、第２の液晶表示パネルに形成する第２のねじ孔と取付カバーに形成する第２の挿通孔との位置を合わせ、固定ねじによって、第２の液晶表示パネルを取付カバーに固定した後、取付カバーをキャビネットに固定することによって、第２の液晶表示パネルがキャビネットに固定される。
【００１１】
本発明の請求項３の液晶表示装置は、請求項２記載の液晶表示装置において、前記第１及び第２の液晶表示パネルは共に横長長方形型に形成され、第１の液晶表示パネルは、その短手方向に前記第１のねじ孔を有する折曲片を形成するとともに、第２の液晶表示パネルは、その長手方向に前記第２のねじ孔を形成したことを特徴とする。
【００１２】
請求項３の構成により、例えば、テレビジョン受像機においては、表示画面の左右両側にスピーカー部が配置され、表示画面の左右両側は比較的寸法的な余裕がある。したがって、薄型に形成した第１の液晶表示パネルは、直接、ねじ孔を設ける寸法的な余裕がない場合が多いことから、スピーカー部などが配置された比較的、寸法的な余裕がある左右両側に第１のねじ孔を有する折曲片を形成し、ねじ孔が形成できる程度の厚さを有する第２の液晶表示パネルは、その長手方向に直接、第２のねじ孔を形成することによって、第２の液晶表示パネルの上下方向に、該液晶表示パネルを固定するための無駄なスペースが生じさせない。これにより、外形サイズ縮小によるメリットが損なうことなく、取付仕様が相違する二種類の液晶表示パネルを固定することが可能となる。
【００１３】
本発明の請求項４の液晶表示装置は、請求項２又は３記載の液晶表示装置において、取付片が前記取付ボス部と前記第１の液晶表示パネルに形成する折曲片とに渡って形成されていることを特徴とする。
【００１４】
請求項４の構成により、取付カバーの取付片が第１の液晶表示パネルとの固定と、第１又は第２の液晶表示パネルの何れかを装着した取付カバーのキャビネットへの固定とを兼用することが可能となり、第１の液晶表示パネルを固定するための取付片と、第１又は第２の液晶表示パネルの何れかを取り付けた取付カバーをキャビネットに固定するための取付片をそれぞれ別途形成する必要がないから合理的である。
【発明の効果】
【００１５】
本発明の請求項１の液晶表示装置によれば、相違した取付仕様から成る複数の液晶表示パネルから何れかの液晶表示パネルを選択して装置を構成する液晶表示装置であり、該複数の液晶表示パネルに共通した取付カバーによって該液晶表示装置のフロントキャビネットの取付ボス部に取り付ける液晶表示装置であって、一つの液晶表示パネルの取付仕様が、液晶表示パネル背面に形成された側方に突出する折曲片による取り付けであり、他の液晶表示パネルの取付仕様が、液晶表示パネル側面に形成されたねじ孔による取り付けである際に、前記取付カバーには、前記折曲片に対応する位置に取付片を形成し、かつ前記ねじ孔に対応する位置に挿通孔を形成し、前記取付ボス部の高さをｈ（ｍｍ）、前記一つの液晶表示面から前記折曲片までの寸法をａ（ｍｍ）、前記他の液晶表示面から前記ねじ孔までの寸法をｂ（ｍｍ）、前記取付カバーの前記取付片から該取付カバーの前記挿通孔までの寸法をｃ（ｍｍ）とした場合にｈ＝ａ、ｈ＝ｂ＋ｃの関係を満たすように構成されているものであるから、相違した取付仕様から成る複数の液晶表示パネルの何れもがフロントキャビネットの所定位置に収まるように確実に固定される。これにより、複数の液晶表示パネルの取付仕様に合わせたキャビネットの成形もしくはキャビネットに形成する取付ボス部の位置変更あるいは複数の液晶表示パネルの取付仕様に応じた専用の取付金具を用意するといった必要がなくなるため、金型製作費や改造費に対するコストを節約することができ、また、組付け部品点数を削減できるから、部品管理も容易であるとともに、組付け作業性にも優れる。
【００１６】
本発明の請求項２の液晶表示装置によれば、前記複数の液晶表示パネルは、第１の液晶表示パネルと、この第１の液晶表示パネルと外形形状がほぼ同形で該第１の液晶表示パネルより厚い第２の液晶表示パネルから成り、前記第１の液晶表示パネルの一方の対向辺に、前記折曲片を形成し、この折曲片に第１のねじ孔を形成するとともに、前記第２の液晶表示パネルは、前記折曲片と直交する他方の対向辺に位置して第２の液晶表示パネルの側面に第２のねじ孔を形成し、前記取付カバーの取付片に前記第１のねじ孔に対応する第１の挿通孔を形成するとともに、該取付カバーの側面に前記第２のねじ孔に対応する第２の挿通孔を形成し、この第１及び第２の挿通孔から第１及び第２のねじ孔に固定ねじを螺着するように構成したものであるから、厚さが異なるとともに、取付仕様が異なる第１及び第２の液晶表示パネルを共通の取付カバーによってキャビネットの所定位置に確実に固定することができる。
【００１７】
本発明の請求項３の液晶表示装置によれば、請求項２記載の液晶表示装置において、前記第１及び第２の液晶表示パネルは共に横長長方形型に形成され、第１の液晶表示パネルは、その短手方向に前記第１のねじ孔を有する折曲片を形成するとともに、第２の液晶表示パネルは、その長手方向に前記第２のねじ孔を形成したものであるから、外形サイズ縮小によるメリットが損なうことなく、取付仕様が相違する第１及び第２の液晶表示パネルを簡単かつ容易に固定することができる。
【００１８】
本発明の請求項４の液晶表示装置によれば、請求項２又は３記載の液晶表示装置において、前記取付片が前記取付ボス部と前記第１の液晶表示パネルに形成する折曲片とに渡って形成されているから、第１の液晶表示パネルを固定するための取付片と、第１又は第２の液晶表示パネルの何れかを取り付けた取付カバーをキャビネットに固定するための取付片を別途形成する必要がないから合理的であるとともに、取付カバーの形状を単純化して取付カバーの製作コストを削減することができる。
【発明を実施するための最良の形態】
【００１９】
以下、添付図面を参酌しながら、本発明を実施するための最良の形態としての実施例を説明する。
【００２０】
図１〜図９は本発明の一実施例を示しており、同図において、１は、本発明の液晶表示装置の液晶パネルユニットであり、取付仕様が相違する２種類の第１及び第２のＬＣＤ２，３と、この第１及び第２のＬＣＤ２，３のいずれかを後述するキャビネットに固定するための取付カバー４と、この取付カバー４に固定される回路基板５とで構成されている。前記第１及び第２のＬＣＤ２，３は、図示しない液晶表示素子本体と、この液晶表示素子本体の背面からその外周側を覆う金属製のパネル固定枠２Ａ，３Ａを備えている。なお、本実施例においては、第１及び第２のＬＣＤ２，３は、液晶表示装置たるテレビジョン受像機６の表示画面としてテレビジョン受像機６のキャビネット７に組み込まれる。このキャビネット７は、前後に分割したフロントキャビネット７Ａとバックキャビネット７Ｂとに分割されている。前記第１及び第２のＬＣＤ２，３は、選択した第１及び第２のＬＣＤ２，３の何れかが表示窓８を有するフロントキャビネット７Ａに固定されるものであり、その固定される第１又は第２のＬＣＤ２，３の左右両側に一対のスピーカー部９，９が配置されている。なお、フロントキャビネット７Ａに組み込まれる夫々の第１及び第２のＬＣＤ２，３は、表示装置の寸法規格が表示面の大きさに係るものであるために、その外形寸法がほぼ同形同大で共に横長長方形状に形成されているが、厚みにおいては統一的な規格がなく相違する場合が多い。今、ここでは、第２のＬＣＤ３のほうが第１のＬＣＤ２より厚く形成されている場合を実施例として説明する。そして、これらのＬＣＤは、その取付仕様も相違しており、一般的には、パネル固定枠の背面に突出した複数（多くの場合は４箇所）の折曲片を形成し、その折曲片に取り付け用のねじ孔を形成したものと、パネル固定枠の側面（多くの場合は長手方向の側面）に複数（多くの場合は４箇所）のねじ孔を形成したものが多い。
【００２１】
以下、実施例として説明する２つの相違した取付仕様のＬＣＤは、薄い第１のＬＣＤ２のパネル固定枠２Ａは、短手方向（図４において図示左右方向）に第１のＬＣＤ２の固定位置となる第１のねじ孔１０を有する一対の折曲片１１，１１が相対向して側方に突設されている。一方、厚い第２のＬＣＤ３のパネル固定枠３Ａは、長手方向（図６において図示上下方向）に第２のＬＣＤ３の固定位置となる一対の第２のねじ孔１２が相対向して設けられている。なお、図８（ｂ）で示すように、前記薄い第１のＬＣＤ２のパネル固定枠２Ａの折曲片１１，１１は、液晶表示面からａ（ｍｍ）の寸法となるように形成されており、一方、厚い第２のＬＣＤ３の第２のねじ孔１２は、図８（ｃ）で示すように、液晶表示面からｂ（ｍｍ）の寸法となるように形成されている。
【００２２】
前記取付カバー４は、例えば金属材料薄板を折曲して前記第１及び第２のＬＣＤ２，３の両方のＬＣＤの背面から夫々の外周側を覆うように平板部１５の周縁から直角に折曲した周壁部１６を形成している。そして、取付カバー４の前記周壁部１６には、その短手方向に前記第１のＬＣＤの前記折曲片１１と当接する取付片１７が相対向して一体的に折曲形成され、この取付片１７に前記第１のねじ孔１０と対応する第１の挿通孔１８が形成されるとともに、取付カバー４の長手方向には前記第２のＬＣＤの前記第２のねじ孔１２と対応する位置に第２の挿通孔１９が形成されている。そして、前記第１のＬＣＤを選択した場合には、第１の挿通孔１８に固定ねじ２２を挿通し、折曲片１１に形成する第１のねじ孔１０に螺着する。一方、前記第２のＬＣＤを選択した場合には、第２の挿通孔１９に固定ねじ２２ａを挿通し、第２のねじ孔１２に螺着する。これにより、選択した第１又は第２のＬＣＤ２，３の何れか一方を前記取付カバー４に固定し、その取付カバー４をフロントキャビネット７Ａに固定することによって、選択した第１又は第２のＬＣＤ２，３の何れかをフロントキャビネット７Ａに固定している。
【００２３】
図２に示すように、前記フロントキャビネット７Ａには前記取付カバー４を固定する複数の取付ボス部２０がｈ（ｍｍ）の高さで突設され（図８（ａ）参照）、この取付ボス部２０は、夫々ねじ孔２１が形成され、このねじ孔２１に螺着するための固定ねじ２２ｂを挿通する開口孔２３が前記取付片１７に形成されている。すなわち、取付片１７は前記第２のＬＣＤ２の固定と、フロントキャビネット７Ａへの固定を兼用するように、前記取付ボス部２０の高さｈ（ｍｍ）と第１のＬＣＤ２の固定時における前記折曲片１１の高さａ（ｍｍ）とが同一高さに設定され、かつ、前記取付カバー４に形成する取付片１７は前記取付ボス部２０と前記折曲片１１とに渡って形成されている。
【００２４】
次に、前記第１及び第２のＬＣＤ２，３の何れかを取付カバー４を用いて前記フロントキャビネット７Ａに固定する方法を具体的に説明する。
【００２５】
まず、薄い第１のＬＣＤ２を固定する方法について説明する。第１のＬＣＤ２をフロントキャビネット７Ａに固定するにあたり、第１のＬＣＤ２に取付カバー４を固定する。すなわち図４及び図５に示すように、取付カバー４の取付片１７に形成する第１の挿通孔１８と第１のＬＣＤ２の折曲片１１に形成する第１のねじ孔１０との位置を合わせて、固定ねじ２２を第１の挿通孔１８に通して第１のねじ孔１０に螺着することにより、第１のＬＣＤ２が取付カバー４に固定される。
【００２６】
次に、取付カバー４に固定された第１のＬＣＤ２は、その表示面がフロントキャビネット７Ａの表示窓８に臨むようにフロントキャビネット７Ａ内に載置される。そして、取付カバー４の取付片１７に形成する開口孔２３の位置と、前記フロントキャビネット７Ａにおいて、取付ボス部２０に形成されているねじ孔２１の位置とを合わせて、固定ねじ２２ｂを前記開口孔２３通して前記ねじ孔２１に螺着することにより、第１のＬＣＤ２がフロントキャビネット７Ａに固定される。この際、図８（ｂ）に示すように、取付ボス部２０の高さｈ（ｍｍ）と第１のＬＣＤ２の液晶表示面から折曲片１１，１１までの寸法ａ（ｍｍ）とが同一であるので、フロントキャビネット７Ａ内の表示窓８にきちんと収まる。
【００２７】
また、厚い第２のＬＣＤ３をフロントキャビネット７Ａに固定する場合、実質的に第１のＬＣＤ２と同様な手順によって行われるが、取付カバー４への第２のＬＣＤ３の取付仕様が異なる。すなわち、第１のＬＣＤ２は、取付カバー４の短手方向に形成する取付片１７に固定したが、第２のＬＣＤ３は、図６及び図７に示すように、第２のＬＣＤ３の長手方向に形成する第２のねじ孔１２と取付カバー４の長手方向に形成する第２の挿通孔１９との位置を合わせ、固定ねじ２２ａを第２の挿通孔１９に通して第２のねじ孔１２に螺着することにより、第２のＬＣＤ３を取付カバー４に固定する。この後は、第１のＬＣＤ２と同様、取付カバー４の取付片１７に形成する開口孔２３の位置と、取付ボス部２０に形成されているねじ孔２１の位置とを合わせて、固定ねじ２２ｂをねじ孔２１に螺着することにより、第２のＬＣＤ３をフロントキャビネット７Ａに固定している。この際、図８（ｃ）に示すように、第２の挿通孔１９は、取付ボス部２０の高さｈ（ｍｍ）からｃ（ｍｍ）だけ下方（第２のＬＣＤ３の厚さが相違する場合によっては上方）に位置されるように形成されており、第２のＬＣＤ３の第２のねじ孔１２は、液晶表示面からのｂ（ｍｍ）の寸法であり、夫々が、ｈ＝ｂ＋ｃの関係で形成されているので、フロントキャビネット７Ａ内の表示窓８にきちんと収まる。
【００２８】
以上のように、取付カバー４は、第１及び第２のＬＣＤ２，３に形成された夫々の第１及び第２のねじ孔１０，１２に適合した第１及び第２の挿通孔１８，１９を備えることによって取付仕様が異なる第１及び第２のＬＣＤ２，３を共通の取付カバー４によって、フロントキャビネット７Ａに固定することができる。また、取付ボス部２０の高さをｈ（ｍｍ）、第１のＬＣＤ２液晶表示面から前記折曲片１１までの寸法をａ（ｍｍ）、前記第２のＬＣＤ３の液晶表示面から前記第２のねじ孔１２までの寸法をｂ（ｍｍ）、前記取付カバー４の前記取付片１７から該取付カバー１７の第２の挿通孔１９までの寸法をｃ（ｍｍ）とした場合にｈ＝ａ、ｈ＝ｂ＋ｃの関係を満たすように構成されているから、第１及び第２のＬＣＤ２，３の何れもがフロントキャビネット７Ａの表示窓８にきちんと収まるように所定位置に確実に固定することができる。これにより、第１及び第２のＬＣＤ２，３に合わせたフロントキャビネット７Ａの成形もしくはフロントキャビネット７Ａに形成する取付ボス部２０の位置変更あるいは第１及び第２のＬＣＤ２，３の取付仕様に応じた専用の取付金具を用意するといった必要がなくなるため、金型製作費や改造費に対するコストを節約することができる。また、組付け部品点数を削減できるから、部品管理も容易であるとともに、組付け作業性にも優れる。
【００２９】
また、テレビジョン受像機６においては、表示画面となる第１又は第２のＬＣＤ２，３の左右両側にスピーカー部９が配置され、第１又は第２のＬＣＤ２，３の左右両側は比較的寸法的な余裕があるがテレビジョン受像機６は、よりスリム化が望まれており、テレビジョン受像機６の上下方向は極力、無駄なスペースを省力する傾向にある。このため、薄型に形成した第１のＬＣＤ２は、そのパネル固定枠２Ａに直接、ねじ孔を設ける寸法的な余裕がないことから、スピーカー部９が配置された比較的、寸法的な余裕がある左右両側に第１のねじ孔１０を有する折曲片１１を形成し、ねじ孔が形成できる程度の厚さを有する第２のＬＣＤ３は、長手方向に位置する側面に直接、第２のねじ孔１２を形成することによって、第２のＬＣＤ３の上下方向に、該第２のＬＣＤ３を固定するための無駄なスペースを形成しないようにしている。このような相違する取付仕様を採用した第１及び第２のＬＣＤ２，３を固定する取付カバー４は、各第１及び第２のＬＣＤ２，３の第１及び第２のねじ孔１０，１２に対応させて、その短手方向に第１のねじ孔１０と対応する第１の挿通孔１８を有する取付片１７を形成し、長手方向には第２のねじ孔１２と対応する第２の挿通孔１９を形成することにより、前述したような無駄なスペースが生じることなく二種類の第１及び第２のＬＣＤ２，３を共通の取付カバー４によって固定することができる。これにより、取付カバー４を用いて外形サイズ縮小によるメリットが損なうことなく、取付仕様が相違する二種類の第１及び第２のＬＣＤ２，３をフロントキャビネット７Ａに容易に固定することができる。また、取付ボス部２０の高さと第１のＬＣＤ２の固定時における折曲片１１の高さとを同一高さに設定するとともに、取付片１７を取付ボス部２０と第１のＬＣＤ２の折曲片１１とに渡って形成することにより、取付カバー４の取付片１７は、第１のＬＣＤ２の固定と、取付仕様が相違する二種類の第１及び第２のＬＣＤ２，３の何れかを装着した取付カバー４のフロントキャビネット７Ａへの固定とを兼用することが可能となり、それぞれ取付片１７とを別途形成する必要がないから合理的であるとともに、取付カバー４自体の形状も単純化できるから、取付カバー４の製作コストを削減できる。
【００３０】
以上、本実施例の一実施例を詳述したが、本発明は前記実施例に限定されるものではなく、本発明の要旨の範囲内で種々の変形実施が可能である。例えば、前記実施例では、テレビジョン受像機６に適用した例を示したが、テレビジョン受像機６に限らず、ノート型、デスクトップ型のパソコンあるいは携帯型情報端末機などの各種の液晶表示装置に広く適用可能である。また、取付カバーの形状なども前記実施例に限定されるものではなく、適宜選定すればよいものである。
【図面の簡単な説明】
【００３１】
【図１】本発明の液晶パネルユニットの分解斜視図である。
【図２】同上、フロントキャビネットと取付カバーの分解斜視図である。
【図３】同上、フロントキャビネットとバックキャビネットの分解斜視図である。
【図４】同上、第１のＬＣＤの取付状態を示す一部を切り欠いた正面図である。
【図５】同上、第１のＬＣＤの取付状態を示す一部を切り欠いた断面図である。
【図６】同上、第２のＬＣＤの取付状態を示す一部を切り欠いた正面図である。
【図７】同上、第２のＬＣＤの取付状態を示す一部を切り欠いた断面図である。
【図８】同上、キャビネットと取付カバー、第１のＬＣＤ、第２のＬＣＤのそれぞれの位置関係を示す断面図である。
【図９】同上、テレビジョン受像機の斜視図である。
【符号の説明】
【００３２】
１  液晶パネルユニット
２  第１のＬＣＤ
３  第２のＬＣＤ
４  取付カバー
６  テレビジョン受像機（液晶表示装置）
７  キャビネット
７Ａ  フロントキャビネット
７Ｂ  バックキャビネット
１０  第１のねじ孔
１１  折曲片
１２  第２のねじ孔
１７  取付片  
１８  第１の挿通孔
１９  第２の挿通孔
２０  取付ボス部
２２，２２ａ，２２ｂ  固定ねじ
【図１】
2005208384.tif 000003
【図２】
2005208384.tif 000004
【図３】
2005208384.tif 000005
【図４】
2005208384.tif 000006
【図５】
2005208384.tif 000007
【図６】
2005208384.tif 000008
【図７】
2005208384.tif 000009
【図８】
2005208384.tif 000010
【図９】
2005208384.tif 000011